(57)【要約】【課題】容量が異なる複数種類のバッテリー装置を使うことができ使い勝手を向上する上で有利なバッテリー装置および電子機器を提供する。【解決手段】バッテリー装置１００のケース１０は、本体部１００２と、本体部１００２の幅方向Ｗの中央部で厚さ方向Ｈの一方に設けられた底部１００４とを有している。ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。幅方向Ｗの両側のケース１０の箇所には、長さ方向Ｌに延在し電子機器のバッテリー収容室に設けられた突起に係合してバッテリー収容室内で前記厚さ方向Ｈにおけるケースの位置を位置決めするガイド溝１０１０が形成されている。【選択図】図１
2008153240.tif 000002
【特許請求の範囲】
【請求項１】
幅と厚さと長さを有するケースと、前記ケースの内部に設けられた充電池部と、前記ケースの表面に設けられ前記充電池部に接続されたバッテリー側端子とを備え、電子機器のバッテリー収容室に前記長さ方向に沿って挿入され前記バッテリー側端子が前記バッテリー収容室の収容室側端子に接触されるバッテリー装置であって、
前記幅方向の両側の前記ケースの箇所には、前記長さ方向に延在し前記バッテリー収容室に設けられた突起に係合してバッテリー収容室内で前記厚さ方向における前記ケースの位置を位置決めするガイド溝が形成されている、
ことを特徴とするバッテリー装置。
【請求項２】
前記ケースの幅方向の両側の箇所は互いに平行し前記長さ方向に延在する側面として形成され、前記ケースの厚さ方向の一方の面は底面として形成され、前記バッテリー側端子は前記底面の前記長さ方向の端部に設けられ、前記ガイド溝は前記底面寄りの前記側面箇所に設けられていることを特徴とする請求項１記載のバッテリー装置。
【請求項３】
前記ケースの厚さ方向の一方の面は底面として形成され、前記バッテリー側端子は前記底面の前記長さ方向の端部に設けられ、前記バッテリー収容室にバッテリー装置が収容された状態で、前記ケースの底面が前記バッテリー収容室の底面に載置されることで前記バッテリー装置の前記バッテリー収容室の底面方向への動きが規制され、前記ガイド溝に前記バッテリー収容室の突起が係合することで前記バッテリー装置の前記バッテリー収容室の底面から離れる方向への動きが規制されることを特徴とする請求項１記載のバッテリー装置。
【請求項４】
前記ケースは前記幅方向の寸法が均一で長さ方向に延在する本体部と、前記本体部の幅方向の中央部で厚さ方向の一方に設けられ前記本体部の幅よりも小さい寸法の幅で前記長さ方向に延在する底部とを有し、前記ケースの厚さ方向の一方の面は前記底部の面により底面として形成され、前記バッテリー側端子は前記底面の前記長さ方向の端部に設けられ、前記幅方向両側の前記底面箇所から前記幅方向外側に向かって凸片が突出形成され、前記ガイド溝は前記凸片と、前記幅方向の両側に位置する前記底部の側面と、前記本体部が前記側面に臨む面とで形成されていることを特徴とする請求項１記載のバッテリー装置。
【請求項５】
前記底部の側面で前記長さ方向に間隔をおいた箇所に、前記側面から前記幅方向の外方に突出する凸部が設けられ、前記凸部は前記凸片よりも小さい突出寸法で形成され、前記突起がガイド溝に係合した状態で前記凸部と前記突起とが接触し前記幅方向における前記バッテリー装置の動きが規制されることを特徴とする請求項４記載のバッテリー装置。
【請求項６】
前記ケースの厚さ方向の一方の面は底面として形成され、前記バッテリー側端子は前記底面の前記長さ方向の端部に設けられ、前記長さ方向において前記バッテリー側端子が設けられた箇所とは反対の前記ケースの箇所に、前記ガイド溝を塞ぐストッパ壁が設けられていることを特徴とする請求項１記載のバッテリー装置。
【請求項７】
バッテリー装置が収容されるバッテリー収容室を有する電子機器であって、
前記バッテリー装置は、幅と厚さと長さを有するケースと、前記ケースの内部に設けられた充電池部と、前記ケースの表面に設けられ前記充電池部に接続されたバッテリー側端子とを備え、
前記バッテリー収容室は、前記ケースの幅方向に対応する幅と、前記ケースの厚さに対応する高さと、前記ケースの長さに対応する深さと、前記バッテリー装置が前記長さ方向を前記深さ方向に平行させて挿入された状態で前記バッテリー側端子に接触する収容室側端子とを備え、
前記バッテリー装置のケースの前記幅方向の両側箇所には前記長さ方向に延在するガイド溝が設けられ、
前記バッテリー収容室には、前記ガイド溝に係合し該バッテリー収容室内において前記高さ方向における前記ケースの厚さ方向の位置を位置決めする突起が設けられている、
ことを特徴とする電子機器。
【請求項８】
前記バッテリー収容室の高さは、前記ケースの厚さの異なる複数種類のバッテリー装置が収容できる寸法で形成されていることを特徴とする請求項７記載の電子機器。
【請求項９】
前記バッテリー収容室は、前記幅方向の両端に位置する側面と、前記高さ方向の一方に位置する底面を有し、前記突起は前記底面寄りの前記側面箇所に設けられていることを特徴とする請求項７記載の電子機器。
【請求項１０】
前記バッテリー収容室は、前記高さ方向の一方に位置する底面を有し、前記ケースは前記厚さ方向の一方に位置する底面を有し、前記ガイド溝に突起が係合された状態で前記ケースの底面はバッテリー収容室の底面に載置され、前記ケースの底面が前記バッテリー収容室の底面に載置されることで前記バッテリー装置の前記バッテリー収容室の底面方向への動きが規制され、前記ガイド溝に前記バッテリー収容室の突起が係合することで前記バッテリー装置の前記バッテリー収容室の底面から離れる方向への動きが規制されていることを特徴とする請求項７記載の電子機器。
【請求項１１】
前記バッテリー収容室は、前記幅方向の寸法が均一で深さ方向に延在する本体部と、前記本体部の幅方向の中央部で高さ方向の一方に設けられ前記本体部の幅よりも小さい寸法の幅で前記深さ方向に延在する底部とを有し、前記バッテリー収容室の高さ方向の一方の面は前記底部の面により底面として形成され、前記収容室側端子は前記底面の前記深さ方向の奥部に設けられ、前記幅方向の両側で前記本体部と底部との境の個所には前記底面に平行し前記深さ方向に延在する中間載置面が設けられ、前記突起は、前記両側の中間載置面が設けられた個所から互いに近づく方向に突出されていることを特徴とする請求項７記載の電子機器。
【請求項１２】
前記突起は前記高さ方向における一方の面が前記底面に平行し、前記高さ方向における他方の面が前記中間載置面と同一面上に位置していることを特徴とする請求項１１記載の電子機器。
【請求項１３】
前記バッテリー装置のケースは前記幅方向の寸法が均一で長さ方向に延在する本体部と、前記本体部の幅方向の中央部で厚さ方向の一方に設けられ前記本体部の幅よりも小さい寸法の幅で前記長さ方向に延在する底部とを有し、前記ケースの厚さ方向の一方の面は前記底部の面により底面として形成され、前記バッテリー側端子は前記底面の前記長さ方向の端部に設けられ、前記幅方向両側の前記底面箇所から前記幅方向外側に向かって凸片が突出形成され、前記ガイド溝は前記凸片と、前記幅方向の両側に位置する前記底部の側面と、前記本体部が前記側面に臨む面とで形成され、前記底部の側面で前記長さ方向に間隔をおいた箇所に、前記側面から前記幅方向の外方に突出する凸部が設けられ、前記凸部は前記凸片よりも小さい突出寸法で形成され、前記突起がガイド溝に係合した状態で前記凸部と前記突起とが接触し前記バッテリー収容室内において前記幅方向における前記バッテリー装置の動きが規制されることを特徴とする請求項７記載の電子機器。
【発明の詳細な説明】
【技術分野】
【０００１】
本発明はバッテリー装置およびバッテリー装置により動作する電子機器に関する。
【背景技術】
【０００２】
電子機器に装着されるバッテリー装置として、幅と厚さと長さを有するケースと、前記ケースの内部に設けられた充電池部と、前記ケースの表面に設けられ前記充電池部に接続されたバッテリー側端子とを備え、電子機器のバッテリー収容室に前記長さ方向に沿って挿入され前記バッテリー側端子が前記バッテリー収容室の収容室側端子に接触されるように構成されたものが提供されている（例えば特許文献１参照）。
【特許文献１】特許公報第２５０８４４７号
【発明の開示】
【発明が解決しようとする課題】
【０００３】
しかしながら、上述のバッテリー装置および電子機器では、バッテリー収容室の形状よりも小さい外形寸法を有するバッテリー装置をバッテリー収容室に挿入したとしても、該バッテリー装置がバッテリー収容室内でがたついてしまい適切に使用することはできず、外形寸法が異なる、すなわち容量が異なる複数種類のバッテリー装置を使い分けることができない不具合があった。
本発明はこのような事情に鑑みなされたものであり、その目的は、容量が異なる複数種類のバッテリー装置を使うことができ使い勝手を向上する上で有利なバッテリー装置および電子機器を提供することにある。
【課題を解決するための手段】
【０００４】
上述の目的を達成するため、本発明のバッテリー装置は、幅と厚さと長さを有するケースと、前記ケースの内部に設けられた充電池部と、前記ケースの表面に設けられ前記充電池部に接続されたバッテリー側端子とを備え、電子機器のバッテリー収容室に前記長さ方向に沿って挿入され前記バッテリー側端子が前記バッテリー収容室の収容室側端子に接触されるバッテリー装置であって、前記幅方向の両側の前記ケースの箇所には、前記長さ方向に延在し前記バッテリー収容室に設けられた突起に係合してバッテリー収容室内で前記厚さ方向における前記ケースの位置を位置決めするガイド溝が形成されていることを特徴とする。
また、本発明の電子機器は、バッテリー装置が収容されるバッテリー収容室を有する電子機器であって、前記バッテリー装置は、幅と厚さと長さを有するケースと、前記ケースの内部に設けられた充電池部と、前記ケースの表面に設けられ前記充電池部に接続されたバッテリー側端子とを備え、前記バッテリー収容室は、前記ケースの幅方向に対応する幅と、前記ケースの厚さに対応する高さと、前記ケースの長さに対応する深さと、前記バッテリー装置が前記長さ方向を前記深さ方向に平行させて挿入された状態で前記バッテリー側端子に接触する収容室側端子とを備え、前記バッテリー装置のケースの前記幅方向の両側箇所には前記長さ方向に延在するガイド溝が設けられ、前記バッテリー収容室には、前記ガイド溝に係合し該バッテリー収容室内において前記高さ方向における前記ケースの厚さ方向の位置を位置決めする突起が設けられていることを特徴とする。
【発明の効果】
【０００５】
そのため、本発明のバッテリー装置によれば、バッテリー装置の幅方向の両側のケースの箇所には、長さ方向に延在しバッテリー収容室に設けられた突起に係合してバッテリー収容室内で厚さ方向におけるケースの位置を位置決めするガイド溝が形成されているので、ケースの厚さが異なる、すなわち容量が異なる複数種類のバッテリー装置をバッテリー収容室に収容することができる。
また、本発明の電子機器によれば、バッテリー収容室には、バッテリー装置のガイド溝に係合し該バッテリー収容室内において高さ方向におけるケースの厚さ方向の位置を位置決めする突起が設けられているので、ケースの厚さが異なる、すなわち容量が異なる複数種類のバッテリー装置をバッテリー収容室に収容することができる。
【発明を実施するための最良の形態】
【０００６】
容量が異なる複数種類のバッテリー装置を使用可能とするという目的を、バッテリー装置にガイド溝を設けるとともに電子機器のバッテリー収容室に突起を設けることによって実現した。
【実施例１】
【０００７】
次に本発明の実施例１について図面を参照して説明する。
本実施例では、本発明のバッテリー装置が電子機器としての撮像装置に装着されて使用される場合について説明する。
図１は実施例１のバッテリー装置を下方から見た斜視図、図２は実施例１のバッテリー装置の構成を示す分解斜視図である。
【０００８】
まず、バッテリー装置について説明する。
図１に示すように、バッテリー装置１００は、ケース１０と、ケース１０の内部に設けられた充電池部１２（図２参照）と、ケース１０の内部に設けられた制御回路基板１６と、ケース１０に設けられたバッテリー側端子１４とを備えている。
ケース１０は、幅方向Ｗの寸法が均一で長さ方向Ｌに延在する本体部１００２と、本体部１００２の幅方向Ｗの中央部で厚さ方向Ｈの一方に設けられ本体部１００２の幅よりも小さい寸法の均一幅で長さ方向Ｌに延在する底部１００４とを有している。
バッテリー側端子１４は、底部１００４の長さ方向Ｌの一端に設けられている。
本実施例では、ケース１０は、本体部１００２の底部１００４寄り箇所および底部１００４を除いた第１の分割体と、本体部１００２の底部１００４寄り箇所および底部１００４を含む第２の分割体とで構成され、これら分割体が合わせ面１００５で合わされることで形成され、充電池部１２や制御回路基板１６はこれら分割体の内部に収容されている。
【０００９】
図２に示すように、充電池部１２は、４つの円柱状の電池セル１２０２と、これら各電池セル１２０２の電極を接続する複数の配線部材１２０４と、各電池セル１２０２の側面の間に介在される保持部材１２０６とを有している。
制御回路基板１６は、各電池セル１２０２の電極と配線部材１２０４を介して接続されることで充電池部１２に取着されており、ＣＰＵ、ＲＡＭおよびＲＯＭ、インターフェースなどを含むマイクロコンピュータを有し、バッテリー側端子１４を介して外部の電子機器との間でデータ通信を行なうように構成されている。前記データ通信としては該バッテリー装置１４の容量や特性を示す識別データの出力動作が含まれる。該識別データとしては、例えば、充電器に装着したときに急速充電が可能であるか否かを示すデータ、適正な充電電流の値、あるいは充電電流の上限値などを示すデータなどがある。
バッテリー側端子１４はケース１０の内部において、制御回路基板１６に取着され各配線部材１２０４を介して電池セル１２０２の電極に導通され、該バッテリー端子１４を介して各電池セル１２０２から外部の電子機器に対する動作電流の供給、あるいは、充電器から各電池セル１２０２に対する充電電流の供給が行なわれるように構成されている。
なお、充電池部１２を構成する電池セル１２０２の数量および形状はバッテリー装置１００の容量や特性によって異なることは勿論である。
【００１０】
次にケース１０の構成について詳細に説明する。
図３（Ａ）はバッテリー装置１００の平面図、（Ｂ）は（Ａ）のＢ矢視図、（Ｃ）は（Ａ）のＣ矢視図、（Ｄ）は（Ａ）のＤ矢視図、（Ｅ）は（Ｂ）のＥＥ線断面図である。図４（Ａ）はバッテリー装置１００の底面図、（Ｂ）は（Ａ）のＢ矢視図、（Ｃ）は（Ｂ）のＣＣ線断面図である。図５は図３（Ｃ）のＦ部拡大図、図６は識別部１０３６近傍の拡大斜視図である。
図２、図３、図４に示すように、ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。本実施例では、本体部１００２の幅方向Ｗの両側の側面が前記側面１００６を構成し、底部１００４の底面が前記底面１００８を構成している。
幅方向Ｗの両側のケース１０の箇所には、長さ方向Ｌに延在し電子機器のバッテリー収容室に設けられた突起に係合してバッテリー収容室内で前記厚さ方向Ｈにおけるケース１０の位置を位置決めするガイド溝１０１０が形成されている。
本実施例では、ガイド溝１０１０は、底面１００８寄りの箇所に設けられている。より詳細に説明すると、複数の凸片１０１２（１０１２Ａ、１０１２Ｂ、１０１２Ｃ）が幅方向Ｗ両側の底面１００８箇所で長さ方向Ｌに間隔をおいた複数箇所から幅方向Ｗ外側に向かってそれぞれ突出形成されている。また、厚さ方向Ｈの一方の端部に位置する複数の凸片１０１２（１０１２Ａ、１０１２Ｂ、１０１２Ｃ）箇所は、前記底面１００８と同一面上に位置する底面として形成されている。
ガイド溝１０１０は複数の凸片１０１２（１０１２Ａ、１０１２Ｂ、１０１２Ｃ）と、本体部１００２が底部１００４に臨む面１０１４と、幅方向Ｗの両側に位置する底部１００４の側面１０１６とで、ケース１０の長さ方向に延在し幅方向の外側に開放状に形成されている。なお、本実施例では、ガイド溝１０１０は凸片１０１２Ａ、１０１２Ｂ、１０１２Ｃの間の箇所で底面１００８方向に開放されている。
【００１１】
本実施例では、長さ方向Ｌに間隔をおいた底部１００４の側面１０１６箇所に、該側面１０１６から幅方向Ｗの外方に突出する凸部１０１８が設けられ、凸部１０１８は凸片１０１２よりも小さい突出寸法で形成されている。
また、本実施例では、凸部１０１８は、凸片１０１２Ａ、１０１２Ｂに対応する箇所に設けられ、凸片１０１２Ａ、１０１２Ｂと面１０１４と、側面１０１６とが互いに接続されている。
また、底面１００８の箇所でバッテリー側端子１４が設けられた箇所とは反対側の箇所にガイド溝１０１０を塞ぐストッパ壁１０２０が設けられている。
また、このストッパ壁１０２０は、凸片１０１２Ｃに対応する箇所に設けられ、凸片１０１２Ｃと面１０１４と、側面１０１６とが互いに接続されている。
【００１２】
また、本実施例では、図１に示すように、ケース１０の長さ方向Ｌの両端の端面のうちバッテリー側端子１４が設けられた側の本体部１００２および底部１００４の端面は底面１００８と直交する平坦な端面１０２２として形成されている。そして、この端面１０２２のバッテリー側端子１４から厚さ方向Ｈに離れた箇所に、厚さ方向Ｈの寸法が均一で、かつ、幅方向Ｗに直線状に延在する凸部１０２４が膨出形成されている。凸部１０２４は、バッテリー側端子１４に対応した箇所でバッテリー側端子１４の少なくとも電極が配置されている部分の長さＸ１よりも大きな寸法の長さＸ２で形成されている。
また、図１に示すように、底面１００８には凹部１０２８が形成され、機銘板１０２６がこの凹部１０２８に貼付され、機銘板１０２６の表面と底面１００８は同一面上か、機銘板１０２６の表面が底面１００８よりもケース１０の内側に位置するように構成されている。凹部１０２８の長さ方向Ｌのうちバッテリー側端子１４と反対側に位置する箇所から長さ方向Ｌに沿って底面１００８と同じ面をなす位置決め凸部１０３０が形成され、この凸部１０３０は機銘板１０２６の位置決め溝１０２７に挿入されている。
また、図４（Ａ）、（Ｂ）に示すように、ケース１０の長さ方向Ｌの両端の端面のうちバッテリー側端子１４と反対側に位置する本体部１００２の端面は底面１００８と直交する平坦な端面１０３２として形成され、バッテリー側端子１４と反対側に位置する底部１００４の端面は前記端面１０３２よりもケース１０の内側に変位した箇所で該端面１０３２と平行する平坦な端面１０３４として形成されている。したがって、ケース１０の長さ方向Ｌでバッテリー側端子１４と反対側に位置する端部の本体部１００２と底部１００４の境の部分にはこれら端面１０３２、１０３４により欠部１０３５が形成されている。
また、図１、図５、図６に示すように、バッテリー側端子１４を幅方向Ｗで挟む底部１００４の底面１００８の両側箇所には２つの識別部１０３６が形成されている。これら識別部１０３６は、厚さ方向Ｈおよび長さ方向Ｌに開放された凹部１０３８として形成され、あるいは、厚さ方向Ｈに開放されかつ長さ方向Ｌに閉塞された凹部１０４０として形成される。識別部１０３６は、電子機器側に設けられた識別手段によって識別され、その識別は、凹部１０３８、１０４０の形状や凹部１０３８の長さ方向Ｌの寸法に基づいてなされる。
なお、凹部１０３８を構成する面のうち、ガイド溝１０１０に近接している面部分を傾斜面１０４２とすることで、ガイド溝１０１０と凹部１０３８との間の肉厚寸法を確保し凸片１０１２Ａの機械的強度を確保している。
【００１３】
次に電子機器について説明する。
電子機器は本実施例では撮像装置２００であり、撮像装置２００はケースと、ケースの前部に組み込まれた光学系と、該光学系で捉えた被写体像を撮像する撮像素子と、撮像素子で撮像された画像を表示する液晶表示部と、撮像素子で撮像された画像を記録媒体に記録および／または再生する記録再生部と、前記撮像素子、液晶表示部、記録再生部に電源を供給するバッテリー装置などを含んで構成されている。
前記ケースには、バッテリー装置１００が着脱可能に装着されるバッテリー収容室が設けられ、バッテリー収容室はケースの後面に開口して設けられ、前記開口は不図示の蓋板により閉塞される。
【００１４】
図７、図８は前記ケースのバッテリー収容室２０部分の断面図である。
バッテリー収容室２０は、バッテリー装置１００のケース１０の幅方向Ｗに対応する幅と、ケース１０の厚さに対応する高さと、ケース１０の長さに対応する深さとを有している。
バッテリー収容室２０の深さ方向の奥部には、バッテリー装置１００が前記長さ方向Ｌを前記深さ方向に平行させて挿入された状態でバッテリー側端子１４に接触する収容室側端子（不図示）が設けられている。
また、バッテリー収容室２０には、ガイド溝１０１０に係合し該バッテリー収容室２０内において前記高さ方向におけるケース１０の厚さ方向Ｈの位置を位置決めする突起２００２が設けられている。
【００１５】
本実施例では、バッテリー収容室２０は、前記幅方向の寸法が均一で深さ方向に延在する本体部２２と、本体部２２の幅方向の中央部で高さ方向の一方に設けられ本体部２２の幅よりも小さい寸法の均一幅で前記深さ方向に延在する底部２４とを有している。
バッテリー収容室２０の高さ方向の一方の面は底部２４の面により平坦な底面２００４として形成されている。
前記幅方向の両側で本体部２２と底部２４との境の個所には底面２００４に平行し前記深さ方向に延在する中間載置面２００６が設けられている。
突起２００２は、前記両側の中間載置面２００６が向かい合う箇所からそれぞれ互いに近づく方向に突出されている。すなわち、バッテリー収容室２０の前記幅方向の両端に位置する側面２００１箇所で前記底面２００４寄りの箇所に突起２００２が設けられている。
突起２００２は前記高さ方向における一方の面が底面２００４に平行し、前記高さ方向における他方の面が中間載置面２００６と同一面上に位置している。
バッテリー収容室２０の高さは、図７、図８に示すように、ケース１０の厚さの異なる複数種類のバッテリー装置１００が収容できる寸法で形成されている。
【００１６】
次に本実施例の作用効果について説明する。
バッテリー収容室２００にバッテリー装置１００を収容保持する際には、バッテリー装置１００のバッテリー側端子１４をバッテリー収容室２０の開口に臨ませるとともに、バッテリー装置１０の底面１００８をバッテリー収容室２０の底面２００４に臨ませてバッテリー装置１００をバッテリー収容室２０に挿入する。
この挿入により、バッテリー装置１００のガイド溝１０１０にバッテリー収容室２０の突起２００２が係合され、バッテリー収容室２０内において前記高さ方向におけるバッテリー装置１００のケース１０の厚さ方向Ｈの位置決めがなされる。
本実施例では、ガイド溝１０１０に突起２００２が係合された状態でケース１０の底面１００８はバッテリー収容室２０の底面２００４に載置されており、ケース１０の底面１００８がバッテリー収容室２０の底面２００４に載置されることでバッテリー装置１００のバッテリー収容室２０の底面２００４方向への動きが規制され、ガイド溝１０１０にバッテリー収容室２０の突起２００２が係合することでバッテリー装置１００のバッテリー収容室２０の底面２００４から離れる方向への動きが規制されている。この場合、突起２００２がガイド溝１０１０に係合することで、バッテリー装置１００のバッテリー収容室２０の底面２００４方向への動きおよびバッテリー装置１００のバッテリー収容室２０の底面２００４から離れる方向への動きの双方を規制するようにしてもよい。
また、突起２００２がガイド溝１０１０に係合した状態で凸部１０１８の先端と突起２００４の先端とが接触し前記幅方向Ｗにおけるバッテリー装置１００の動きが規制されている。この場合、凸部１０１８の先端と突起２００４の先端とを接触させずに、バッテリー装置１００のケース１００の側面１００６をバッテリー収容室２０の側面２００１に接触させるなどその他のバッテリー装置１００の箇所とバッテリー収容室２０の箇所を接触させることで前記幅方向Ｗにおけるバッテリー装置１００の動きを規制するようにしてもよい。
そして、バッテリー装置１００をバッテリー収容室２０の奥部まで挿入することで、バッテリー装置１００のバッテリー側端子１４とバッテリー収容室２０の収容室側端子とが接触する。
バッテリー装置１００がバッテリー収容室２０の奥部まで挿入されたならば、不図示の蓋板により前記開口を閉塞し、バッテリー装置１００のバッテリー収容室２０への充填が終了する。
なお、前記長さ方向Ｌにおけるバッテリー装置１００の動きの規制は、例えば、バッテリー収容室２０の奥部の壁面にケース１０の一方の端面１０２２が当接し、蓋板の内面にケース１０の他方の端面１０３２が当接するなど従来公知の規制手段によりなされる。
【００１７】
したがって、本実施例のバッテリー装置１００によれば、バッテリー装置１００の幅方向Ｗの両側のケース１０の箇所には、前記長さ方向Ｌに延在しバッテリー収容室２００に設けられた突起２００２に係合してバッテリー収容室２０内で前記厚さ方向Ｈにおけるケース１０の位置を位置決めするガイド溝１０１０が形成されているので、ケース１０の厚さの異なる複数種類のバッテリー装置１００をバッテリー収容室２０に収容することができる。
また、本実施例の撮像装置２００によれば、バッテリー収容室２０には、バッテリー装置１００のガイド溝１０１０に係合し該バッテリー収容室２０内において前記高さ方向におけるケース１０の厚さ方向Ｈの位置を位置決めする突起２００２が設けられているので、ケース１０の厚さの異なる複数種類のバッテリー装置１００をバッテリー収容室２０に収容することができる。
したがって、例えば、撮像装置２００を長時間動作させるときには電源の容量の大きなバッテリー装置１００、すなわちケース１０の厚さ方向Ｈの寸法の大きなバッテリー装置１００をバッテリー収容室２０に収容保持させることができ、撮像装置２００を短時間動作させるときには電源の容量の小さなバッテリー装置１００、すなわちケース１０の厚さ方向Ｈの寸法の小さなバッテリー装置１００をバッテリー収容室２０に収容保持させることができ、バッテリー装置１００をその使用用途に応じて適宜使い分けることができ、使い勝手を向上させる上で有利となる。
また、本実施例では、ガイド溝１０１０が底面１００８寄りのバッテリー装置１００の箇所に設けられており、突起２００２が底面２００４寄りのバッテリー収容室２０の箇所に設けられているので、バッテリー装置１００の厚さが極めて薄い場合であってもバッテリー収容室２０内において前記高さ方向におけるケース１０の厚さ方向Ｈの位置決めを確実に行なう上で有利となる。
【００１８】
また、本実施例では、ストッパ壁１０２０が設けられているため、バッテリー装置１００の挿入方向を間違えてバッテリー収容室２０に挿入した場合、すなわち、ケース１００のバッテリー側端子部１４と反対側を先頭にしてバッテリー収容室２０に挿入した場合に、該ストッパ壁１０２０が突起２００２に当接するのでユーザーがバッテリー装置１００の向きを誤ったことが瞬時に判断でき、誤挿入を防止する作用を果たしている。
また、本実施例では、凸部１０１８は、凸片１０１２Ａ、１０１２Ｂに対応する箇所に設けられ、凸片１０１２Ａ、１０１２Ｂと面１０１４と、側面１０１６とが互いに接続されていることから、これら２つの凸部１０１８によって凸片１０１２Ａ、１０１２Ｂの機械的強度を向上する上で有利となっている。
また、ストッパ壁１０２０は、凸片１０１２Ｃに対応する箇所に設けられ、凸片１０１２Ｃと面１０１４と、側面１０１６とが互いに接続されていることから、ストッパ壁１０２０によって凸片１０１２Ｃの機械的強度を向上する上で有利となっている。
【００１９】
また、ケース１００の端面１０２２の位置を基準として、前記長さ方向Ｌに沿って設けられている各凸部１０１８の位置（あるいは各凸部１０１８の有無あるいは各凸部１０１８の数）に基づいてバッテリー装置１００が正規なものであるか否かを判別することもできる。
例えば、図９に示すように、ケース１００の端面１０２２を基準とする各凸部１０１８の前記長さ方向Ｌに沿った位置を検知するマイクロスイッチなどからなるセンサ３０２、３０４をバッテリー収容室２０に設ける。そして、各センサ３０２、３０４からの検知信号に基づいて各凸部１０１８の位置が正しい位置にあるか否かを判別する判別回路３０６を設ける。
このような構成によれば、判別回路３０６の判別結果に基づいてバッテリー装置１００が正規品と認識された場合のみバッテリー装置１００からの電源供給を許可し、そうでなければバッテリー装置１００からの電源供給を禁止することができ、正規品でないバッテリー装置１００の使用を未然に防止することが可能となる。
また、前述したバッテリー装置１００の識別データを、前記長さ方向Ｌに沿って設けられている各凸部１０１８の位置、あるいは、各凸部１０１８の有無、あるいは、各凸部１０１８の数によって示すことも可能である。
例えば、図９に示した構成によれば、２つのセンサ３０２，３０４のオン、オフの組み合わせによって４種類の識別データを表すことができる。したがって、バッテリー装置１００のケース１０の幅方向の両側に設けられた合計４つの凸部１０１８の位置を検知できるように４つのセンサを設ければ、８通りの識別情報を得ることができることは無論である。
また、センサとして端面１０２２を基準とする各凸部１０１８の前記長さ方向の位置を測定できるものを用いれば、センサによって検知できる識別データの種類をさらに増やすことができることは無論である。
また、バッテリー装置１００が装着される電子機器がバッテリー装置１００に対して充電を行なう充電器であった場合には、該充電器に上述したセンサ３０２、３０４と同様なセンサを１つあるいは複数設け、該センサによりバッテリー装置１００の装着の有無を検知し、該検知動作に応じてバッテリー装置１００に対する充電動作を開始するようにしてもよい。この場合、前記センサが凸部１０１８に対応する箇所に設けられているため、すなわち前記センサがバッテリー装置１００の挿入方向に対して直交する方向に向けて設けられているため、前記センサがバッテリー収容室２０の奥部でバッテリー装置１００の挿入方向に臨ませて設けられている場合に比較して、バッテリー収容室２０の開口から挿入された棒状の異物などによって前記センサが誤動作されにくいという利点がある。
また、前記センサによって凸部１０１８の位置を判別することでバッテリー装置１００の特性（適切な充電電流の値、あるいは、急速充電が可能か否かなど）を充電器側で判断させることも可能である。
また、バッテリー収容室２０に各凸部１０１８の一部または全てと係脱するロック機構を設ければ、前記ロック機構が凸部１０１８の一部または全てと係合することにより、バッテリー装置１００のバッテリー収容室２０からの脱落を確実に防止する上で有利となる。
また、図１に示すように、機銘板１０２６の表面と底面１００８は同一面上か、機銘板１０２６の表面が底面１００８よりもケース１０の内側に位置するように構成されるとともに、底面１００８と同じ面をなす位置決め凸部１０３０が機銘板１０２６の位置決め溝１０２７に挿入されているので、バッテリー装置１００をバッテリー収容室２０に対して出し入れすることで、バッテリー装置１００の底面１００８とバッテリー収容室２０の底面２００４とが摩擦しても、機銘板１０２６の表面が損傷や汚損を受けにくく機銘板１０２６の表記を保護する上で有利である。
【００２０】
また、上述したバッテリー装置１００は、上述した実施例のようにバッテリー収容室２０に収容される、いわゆる内蔵型として用いられる他、次に説明するように撮像装置２００の外面に装着する、いわゆる外付型としても用いることができる。
以下、バッテリー装置１００を外付型として使用する場合について説明する。
図１０はバッテリー装置１００が外付けされる撮像装置２００の斜視図、図１１は撮像装置２００のバッテリー装着部の拡大図、図１２はバッテリー装置１００が取着された状態を示す撮像装置２００の斜視図、図１３はバッテリー装置１００とバッテリー装着部との取付け説明図、図１４はロック機構の説明図、図１５はバッテリー装置１００とバッテリー装着部の取付状態を示す説明図である。
【００２１】
図１０に示すように、撮像装置２００はケース２４と、ケース２４の前部に組み込まれた光学系２６と、該光学系２６で捉えた被写体像を撮像する不図示の撮像素子と、撮像素子で撮像された画像を表示する液晶表示部２８と、撮像素子で撮像された画像を記録媒体に記録および／または再生する不図示の記録再生部と、前記撮像素子、液晶表示部２８、記録再生部に電源を供給するバッテリー装置１００などを含んで構成されている。
ケース２４の後部には、バッテリー装置１００が着脱可能に装着されるバッテリー装着部３０が設けられている。
バッテリー装着部３０は、図１１に示すように、バッテリー装置１００が収容される凹部３００２と、凹部３００２に設けられた複数の係合凸片３００４（３００４Ａ、３００４Ｂ、３００４Ｃ）と、凹部３００２に設けられた装置側端子３２と、装置側端子３２と反対側の凹部３００２箇所に設けられた係合凸部３４とを有している。
凹部３００２は、装着面３００６と、この装着面３００６の周囲から起立する側面３００８とを備えている。
前記装着面３００６は、バッテリー装置１００の底面１００８の幅に対応した幅と、底面１００８の長さよりも大きな寸法の長さで形成されている。
図１１、図１３に示すように、装着面３００６の幅方向の両側で長さ方向に間隔をおいた箇所に、前記ガイド溝１０１０に係合可能な係合凸片３００４（３００４Ａ、３００４Ｂ、３００４Ｃ）が設けられている。
係合凸部３４は、装着面３００６から出没可能に設けられ、常時突出する方向に付勢され、バッテリー装置１００の欠部１０３５に係合可能に形成されている。
【００２２】
バッテリー装置１００のバッテリー装着部３０への取付は次のように行なわれる。
バッテリー装置１００のバッテリー側端子１４をバッテリー装着部３０の装置側端子３２に臨ませるとともに、バッテリー装置１０の底面１００８をバッテリー装着部３０の装着面３００６に臨ませ、バッテリー装置１００の各凸片１０１２（１０１２Ａ、１０１２Ｂ、１０１２Ｃ）が、係合凸片３００４（３００４Ａ、３００４Ｂ、３００４Ｃ）に対して前記長さ方向Ｌに沿ってそれぞれ離間した位置とする。
この状態で、バッテリー装置１０の底面１００８をバッテリー装着部３０の装着面３００６に当て付け、バッテリー装置１００をバッテリー側端子１４が装置側端子３２に近接させる方向にスライドさせる。
これにより、バッテリー装置１００の各凸片１０１２（１０１２Ａ、１０１２Ｂ、１０１２Ｃ）が、係合凸片３００４（３００４Ａ、３００４Ｂ、３００４Ｃ）と装着面３００６の間に挿入され、バッテリー装着部３０上において前記高さ方向におけるバッテリー装置１００の厚さ方向Ｈの位置決めがなされ、バッテリー装置１００のバッテリー側端子１４とバッテリー装着部３０の装置側端子３２とが接触する。
この場合、本実施例では、各凸片１０１２（１０１２Ａ、１０１２Ｂ、１０１２Ｃ）が、各係合凸片３００４（３００４Ａ、３００４Ｂ、３００４Ｃ）に係合した状態でケース１０の底面１００８とバッテリー装着部３０の装着面３００６とは当て付けられている。
バッテリー装置１００の長さ方向Ｌの２つの端面のうちバッテリー側端子１４側の端面１０２２がバッテリー装着部３０の側面３００８に当接されたならば、係合凸部３４がバッテリー装置１００の欠部１０３５に係合することでバッテリー装置１００をバッテリー装着部３０に装着された状態がロックされ、バッテリー装置１００のバッテリー装着部３０への取付が終了する。
【００２３】
このようにバッテリー装置１００がバッテリー装着部３０に装着される場合には、図１４に示すように、バッテリー装置１００のバッテリー側端子１４側の端面１０２２と、該端面１０２２に対向する撮像装置２００のケース２４箇所（凹部３００６の側面３００８）との間に隙間が形成されることがある。
この場合、凹部３００６の側面３００８に凹溝３０１０を形成しておき、この凹溝にバッテリー装置１００の凸部１０２４を挿入することで前記隙間を凸部１０２４により遮断できる。このため、前記隙間部分から例えば導電性を有する異物などが侵入してバッテリー側端子１４と装置側端子３２との接続部分に接触することを確実に防止する上で有利となる。
また、ストッパ壁１０２０は、バッテリー装置１００のバッテリー装着部への装着の際、バッテリー装置１００の長さ方向の向きが正規の向きでない場合に、バッテリー装着部３０の係合凸片３００４Ａに当たりバッテリー装置１００の誤った向きでの装着を阻止する機能を果たしている。
【００２４】
また、図１５に示すように、バッテリー装着部３０に装着された状態のバッテリー装置１００の欠部１０３５に対して接離する方向にスライドし、該欠部１０３５に接近する方向にばねなどの付勢部材により常時付勢されたロック爪２００８をケース２４に設け、該ロック爪２００８が欠部１０３５に係合することでバッテリー装置１００のバッテリー装着部３０からの脱落を防止し、バッテリー装置１００の欠部１０３５とロック爪２００８の係合を解除することで、バッテリー装置１００のバッテリー装着部３０からの取り外しが可能となるように構成することもできる。
この場合、バッテリー装置１００はその欠部１０３５が端面１０３２よりもバッテリー装置１００の内側に変位しているため、ロック爪２００８は、ケース２４の外面よりもケース２４の内側に変位した箇所に設けることができ、撮像装置２００のケース２４の外面から外方に突出させることなくロック爪２００８を構成することができる。したがって、撮像装置２００の小型化を図るとともに、デザイン性を向上させる上で有利となる。
また、この場合、ロック爪２００８の欠部１０３５に係合する箇所が常時バッテリー装置１００の底面１００８に接近する方向に付勢されることになるため、バッテリー装置１００をバッテリー装着部３０に装着する際、あるいは、バッテリー装置１００をバッテリー装着部３０から取り外す際、バッテリー装置１００の底面１００８を装着面３００６に沿ってスライドさせると、前記付勢によって底面１００８向きに突出するロック爪２００８の先端が底面１００８に貼着された機銘板１０２６などのラベル表面に当接し、摩擦により機銘板１０２６などの表面の印刷部分が擦れて消えてしまうおそれがある。
この場合、ロック爪２００８を、その先端が位置決め凸部１０３０に当接するように配設すれば、ロック爪２００８の先端が位置決め凸部１０３０の部分に当接し機銘板１０２６の表面には当接しないので、機銘板１０２６の表面が損傷や汚損を受けにくく機銘板１０２６の表面の印刷部分を保護する上で有利である。この場合、位置決め凸部１０３０は機銘板１０２６の表面と同一面上か、機銘板１０２６の表面よりもケース１０の外側に位置するように設けられていればよい。
【００２５】
また、本実施例によるバッテリー装置１００は次のように構成されているということもできる。
すなわち、バッテリー装置１００はケース１０を有している。ケース１０は、その長さ方向Ｌの両端に位置する２つの端面１０２２，１０３２と、これら２つの端面１０２２，１０３２を接続する側面１００６とを有し、２つの端面１０２２，１０３２のうちの一方の端面１０２２と該端面１０２２に接続された側面１００６との少なくとも一方に臨むようにバッテリー側端子１０１４が設けられている。側面１００６には、前記長さ方向Ｌに延在する誤挿入防止用溝（ガイド溝１０１０）が形成され、前記長さ方向Ｌのうちバッテリー側端子１０１４側を前方、その反対方向を後方とした場合、前記誤挿入防止用溝はその長さ方向Ｌの両端のうちバッテリー側端子１０１４寄りの箇所（前端箇所）が開放され、その反対側の箇所（後端箇所）が閉塞されている。そして、前記誤挿入防止用溝にはケース１０の外方に膨出する１つの凸部１０１８が形成されているか、あるいは、２つ以上の凸部１０１８が前記長さ方向Ｌに間隔をおいて形成されている。
このような構成によれば、図９において説明したように、凸部１０１８の長さ方向Ｌの位置、あるいは、凸部１０１８の有無、あるいは、凸部１０１８の数などによってバッテリー装置１００の識別データを示すことができる。この場合、凸部１０１８はケース１０の外方に膨出しているため、ケース１０内部のスペースを占有することが無く、ケース１０の内部に部品収容用のスペースを確保する上で、あるいは、ケース１０の小型化を図る上で有利となり、バッテリー装置１００の設計の自由度を向上させる上でも有利となる。
また、本実施例のバッテリー装置１００は、ケース１０を幅方向Ｗで挟み互いに対向する２つの側面１００６箇所のそれぞれに前記誤挿入防止用溝を設けている。この場合、２つの誤挿入防止用溝を各溝に対応する突起に係合させることで前記厚さ方向Ｈにおける前記ケースの位置を位置決めでき、前記誤挿入防止用溝を位置決め用の溝として機能させることができる。
このような構成によれば、図７、図８に示すように、バッテリー収容室２０に前記各突起２００２を設け、これら各突起２００２に前記２つの誤挿入防止用溝を係合させることで前記厚さ方向Ｈの寸法が異なるバッテリー装置を前記バッテリー収容室２０内で位置決めすることができる。
また、本実施例のバッテリー装置１００は、複数の凸片１０１２（１０１２Ａ，１０１２Ｂ、１０１２Ｃ）と、これら複数の凸片１０１２（１０１２Ａ，１０１２Ｂ、１０１２Ｃ）のそれぞれに臨む側面１０１６箇所と、これら複数の凸片１０１２（１０１２Ａ，１０１２Ｂ、１０１２Ｃ）のそれぞれに臨む面１０１４の箇所とによって複数の凹部が形成されており、これら複数の凹部により前記誤挿入防止用溝を構成することができる。
また、本実施例のバッテリー装置１００は、複数の凸片１０１２（１０１２Ａ，１０１２Ｂ、１０１２Ｃ）のそれぞれに接続して凸部１０１８が設けられており、各凸部１０１８が複数の凸片１０１２（１０１２Ａ，１０１２Ｂ、１０１２Ｃ）のそれぞれに接続されている箇所は、前記長さ方向Ｌのうち、バッテリー装置１００をバッテリー装着部３０に装着する際にバッテリー装置１００を動かす（スライドさせる）方向寄りの箇所（バッテリー側端子寄りの箇所）である。
このような構成によれば、これら各凸片１０１２（１０１２Ａ，１０１２Ｂ、１０１２Ｃ）と、複数の係合凸片３００４（３００４Ａ、３００４Ｂ、３００４Ｃ）とを係脱する際に、凸片１０１２Ａと係合凸片３００４Ａとの間、凸片１０１２Ｂと係合凸片３００４Ｂの間、凸片１０１２Ｃと係合凸片３００４Ｃとの間に、前記長さ方向Ｌにおける間隔がそれぞれ確保されることになる。このため、複数の凸片１０１２（１０１２Ａ，１０１２Ｂ、１０１２Ｃ）と、複数の係合凸片３００４（３００４Ａ、３００４Ｂ、３００４Ｃ）とが互いに係脱する際、各係合凸片３００４と各凸部１０１８との干渉が生じにくく、バッテリー装置１００の装着、取り外しを円滑に行う上で有利となる。
【００２６】
なお、本実施例においては、電子機器として撮像装置を例示したが、本発明はバッテリー装置を充電する充電器、およびバッテリー装置を用いて動作する種々の電子機器に無論適用可能である。
【図面の簡単な説明】
【００２７】
【図１】実施例１のバッテリー装置を下方から見た斜視図である。
【図２】実施例１のバッテリー装置の構成を示す分解斜視図である。
【図３】バッテリー装置１００の説明図である。
【図４】バッテリー装置１００の説明図である。
【図５】図３の要部拡大図である。
【図６】識別部１０３６近傍の拡大斜視図である。
【図７】ケースのバッテリー収容室２０部分の断面図である。
【図８】ケースのバッテリー収容室２０部分の断面図である。
【図９】凸部１０１８の判別回路を示すブロック図である。
【図１０】バッテリー装置１００が外付けされる撮像装置２００の斜視図である。
【図１１】撮像装置２００のバッテリー装着部の拡大図である。
【図１２】バッテリー装置１００が取着された状態を示す撮像装置２００の斜視図である。
【図１３】ロック機構の説明図である。
【図１４】バッテリー装置１００とバッテリー装着部との取付け説明図である。
【図１５】バッテリー装置１００とバッテリー装着部の取付状態を示す説明図である。
【符号の説明】
【００２８】
１００……バッテリー装置、１０……ケース、１２……充電池部、１４……バッテリー側端子、１０１０……ガイド溝、２００……撮像装置、２０……バッテリー収容室、２００４……突起。
【図１】
2008153240.tif 000003
【図２】
2008153240.tif 000004
【図３】
2008153240.tif 000005
【図４】
2008153240.tif 000006
【図５】
2008153240.tif 000007
【図６】
2008153240.tif 000008
【図７】
2008153240.tif 000009
【図８】
2008153240.tif 000010
【図９】
2008153240.tif 000011
【図１０】
2008153240.tif 000012
【図１１】
2008153240.tif 000013
【図１２】
2008153240.tif 000014
【図１３】
2008153240.tif 000015
【図１４】
2008153240.tif 000016
【図１５】
2008153240.tif 000017
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
幅と厚さと長さを有し、幅方向に所定の寸法を有し長さ方向に延在する本体部と、本体部の幅よりも小さい寸法の幅を有する底部とからなるケースと、
前記ケースの内部に設けられた充電池部と、
前記充電池部に接続されたバッテリー端子とを備え、
前記ケースの厚さ方向の一方の面である前記底部の底面の幅方向両側には、幅方向外側に向かって突出する複数の凸片がそれぞれ設けられ、
幅方向両側において前記本体部が前記底部に臨む面は長さ方向全体に延在され、
前記凸片と前記本体部が前記底部に臨む面との間にはガイド溝が長さ方向に延在され、
前記凸片の突出方向の先端は、前記幅方向の両端に位置する前記本体部の側面よりも前記幅方向において内側に位置し、
前記バッテリー側端子は前記底面の前記長さ方向の端部に設けられ、
前記長さ方向において前記バッテリー側端子が設けられた箇所とは反対の前記ケースの箇所に、前記ガイド溝を塞ぐストッパ壁が設けられている、
ことを特徴とするバッテリー装置。
【請求項２】
電子機器のバッテリー収容室に前記バッテリー装置が収容された状態で、前記ケースの底面が前記バッテリー収容室の底面に載置されることで前記バッテリー装置の前記バッテリー収容室の底面方向への動きが規制され、前記ガイド溝に前記バッテリー収容室の突起が係合することで前記バッテリー装置の前記バッテリー収容室の底面から離れる方向への動きが規制されることを特徴とする請求項１記載のバッテリー装置。
【請求項３】
前記ガイド溝は前記凸片と、前記幅方向の両側に位置する前記底部の側面と、前記本体部が前記側面に臨む面とで形成されていることを特徴とする請求項１記載のバッテリー装置。
【請求項４】
前記底部の側面で前記長さ方向に間隔をおいた箇所に、前記側面から前記幅方向の外方に突出する凸部が設けられ、前記凸部は前記凸片よりも小さい突出寸法で形成され、前記突起がガイド溝に係合した状態で前記凸部と前記突起とが接触し前記幅方向における前記バッテリー装置の動きが規制されることを特徴とする請求項３記載のバッテリー装置。
【請求項５】
前記バッテリー端子は、前記底面の前記長さ方向の端部から前記底部の長さ方向の端部に位置する端面にわたって設けられ、
前記バッテリー端子から前記厚さ方向に離れた前記端面の箇所に幅方向に延在する凸部が設けられている、
ことを特徴とする請求項１記載のバッテリー装置。
【手続補正２】
【補正対象書類名】明細書
【補正対象項目名】全文
【補正方法】変更
【補正の内容】
【発明の詳細な説明】
【技術分野】
【０００１】
本発明はバッテリー装置に関する。
【背景技術】
【０００２】
電子機器に装着されるバッテリー装置として、幅と厚さと長さを有するケースと、前記ケースの内部に設けられた充電池部と、前記ケースの表面に設けられ前記充電池部に接続されたバッテリー側端子とを備え、電子機器のバッテリー収容室に前記長さ方向に沿って挿入され前記バッテリー側端子が前記バッテリー収容室の収容室側端子に接触されるように構成されたものが提供されている（例えば特許文献１参照）。
【特許文献１】特許公報第２５０８４４７号
【発明の開示】
【発明が解決しようとする課題】
【０００３】
しかしながら、上述のバッテリー装置では、該バッテリー装置が厚さ方向に均一の幅を有しているため、このバッテリー装置が装着される電子機器のバッテリー収容室も大きな面積を要することになり、電子機器の小型化を図る上で不利がある。
また、バッテリー装置の挿入方向を間違えたバッテリー収容室への挿入を防止することができればより便利となる。
本発明はこのような事情に鑑みなされたものであり、その目的は、電子機器の小型化を図る上で有利で、また、挿入方向を間違えたバッテリー装置の誤挿入を防止できるバッテリー装置を提供することにある。
【課題を解決するための手段】
【０００４】
上述の目的を達成するため、本発明のバッテリー装置は、幅と厚さと長さを有し、幅方向に所定の寸法を有し長さ方向に延在する本体部と、本体部の幅よりも小さい寸法の幅を有する底部とからなるケースと、前記ケースの内部に設けられた充電池部と、前記充電池部に接続されたバッテリー端子とを備え、前記ケースの厚さ方向の一方の面である前記底部の底面の幅方向両側には、幅方向外側に向かって突出する複数の凸片がそれぞれ設けられ、幅方向両側において前記本体部が前記底部に臨む面は長さ方向全体に延在され、前記凸片と前記本体部が前記底部に臨む面との間にはガイド溝が長さ方向に延在され、前記凸片の突出方向の先端は、前記幅方向の両端に位置する前記本体部の側面よりも前記幅方向において内側に位置し、前記バッテリー側端子は前記底面の前記長さ方向の端部に設けられ、前記長さ方向において前記バッテリー側端子が設けられた箇所とは反対の前記ケースの箇所に、前記ガイド溝を塞ぐストッパ壁が設けられていることを特徴とする。
【発明の効果】
【０００５】
そのため、本発明のバッテリー装置によれば、ガイド溝を形成する凸片が、本体部の側面よりも幅方向において内側に位置しているので、バッテリー装置が装着される電子機器のバッテリー収容室の小型化を図る上で有利となる。
また、本実施例では、バッテリー装置の挿入方向を間違えてバッテリー収容室に挿入した場合、ストッパ壁がバッテリー収容室の突起に当接するので、ユーザーがバッテリー装置の向きを誤ったことが瞬時に判断でき、誤挿入が防止される。
【発明を実施するための最良の形態】
【０００６】
以下、本発明の実施例を図面にしたがって説明する。
【実施例１】
【０００７】
次に本発明の実施例１について図面を参照して説明する。
本実施例では、本発明のバッテリー装置が電子機器としての撮像装置に装着されて使用される場合について説明する。
図１は実施例１のバッテリー装置を下方から見た斜視図、図２は実施例１のバッテリー装置の構成を示す分解斜視図である。
【０００８】
まず、バッテリー装置について説明する。
図１に示すように、バッテリー装置１００は、ケース１０と、ケース１０の内部に設けられた充電池部１２（図２参照）と、ケース１０の内部に設けられた制御回路基板１６と、ケース１０に設けられたバッテリー側端子１４とを備えている。
ケース１０は、幅方向Ｗの寸法が均一で長さ方向Ｌに延在する本体部１００２と、本体部１００２の幅方向Ｗの中央部で厚さ方向Ｈの一方に設けられ本体部１００２の幅よりも小さい寸法の均一幅で長さ方向Ｌに延在する底部１００４とを有している。
バッテリー側端子１４は、底部１００４の長さ方向Ｌの一端に設けられている。
本実施例では、ケース１０は、本体部１００２の底部１００４寄り箇所および底部１００４を除いた第１の分割体と、本体部１００２の底部１００４寄り箇所および底部１００４を含む第２の分割体とで構成され、これら分割体が合わせ面１００５で合わされることで形成され、充電池部１２や制御回路基板１６はこれら分割体の内部に収容されている。
【０００９】
図２に示すように、充電池部１２は、４つの円柱状の電池セル１２０２と、これら各電池セル１２０２の電極を接続する複数の配線部材１２０４と、各電池セル１２０２の側面の間に介在される保持部材１２０６とを有している。
制御回路基板１６は、各電池セル１２０２の電極と配線部材１２０４を介して接続されることで充電池部１２に取着されており、ＣＰＵ、ＲＡＭおよびＲＯＭ、インターフェースなどを含むマイクロコンピュータを有し、バッテリー側端子１４を介して外部の電子機器との間でデータ通信を行なうように構成されている。前記データ通信としては該バッテリー装置１４の容量や特性を示す識別データの出力動作が含まれる。該識別データとしては、例えば、充電器に装着したときに急速充電が可能であるか否かを示すデータ、適正な充電電流の値、あるいは充電電流の上限値などを示すデータなどがある。
バッテリー側端子１４はケース１０の内部において、制御回路基板１６に取着され各配線部材１２０４を介して電池セル１２０２の電極に導通され、該バッテリー端子１４を介して各電池セル１２０２から外部の電子機器に対する動作電流の供給、あるいは、充電器から各電池セル１２０２に対する充電電流の供給が行なわれるように構成されている。
なお、充電池部１２を構成する電池セル１２０２の数量および形状はバッテリー装置１００の容量や特性によって異なることは勿論である。
【００１０】
次にケース１０の構成について詳細に説明する。
図３（Ａ）はバッテリー装置１００の平面図、（Ｂ）は（Ａ）のＢ矢視図、（Ｃ）は（Ａ）のＣ矢視図、（Ｄ）は（Ａ）のＤ矢視図、（Ｅ）は（Ｂ）のＥＥ線断面図である。図４（Ａ）はバッテリー装置１００の底面図、（Ｂ）は（Ａ）のＢ矢視図、（Ｃ）は（Ｂ）のＣＣ線断面図である。図５は図３（Ｃ）のＦ部拡大図、図６は識別部１０３６近傍の拡大斜視図である。
図２、図３、図４に示すように、ケース１０の幅方向Ｗの両側の箇所は互いに平行し長さ方向Ｌに延在する平坦な側面１００６として形成され、ケース１０の厚さ方向Ｈの一方の面は平坦な底面１００８として形成されている。本実施例では、本体部１００２の幅方向Ｗの両側の側面が前記側面１００６を構成し、底部１００４の底面が前記底面１００８を構成している。
幅方向Ｗの両側のケース１０の箇所には、長さ方向Ｌに延在し電子機器のバッテリー収容室に設けられた突起に係合してバッテリー収容室内で前記厚さ方向Ｈにおけるケース１０の位置を位置決めするガイド溝１０１０が形成されている。
本実施例では、ガイド溝１０１０は、底面１００８寄りの箇所に設けられている。より詳細に説明すると、複数の凸片１０１２（１０１２Ａ、１０１２Ｂ、１０１２Ｃ）が幅方向Ｗ両側の底面１００８箇所で長さ方向Ｌに間隔をおいた複数箇所から幅方向Ｗ外側に向かってそれぞれ突出形成されている。また、厚さ方向Ｈの一方の端部に位置する複数の凸片１０１２（１０１２Ａ、１０１２Ｂ、１０１２Ｃ）箇所は、前記底面１００８と同一面上に位置する底面として形成されている。
また、図３、図４、図５、図７、図８に示すように、凸片１０１２（１０１２Ａ、１０１２Ｂ、１０１２Ｃ）の突出方向の先端は、幅方向の両端に位置する本体部１００２の側面１００６よりも幅方向において内側に位置している。
ガイド溝１０１０は複数の凸片１０１２（１０１２Ａ、１０１２Ｂ、１０１２Ｃ）と、本体部１００２が底部１００４に臨む面１０１４と、幅方向Ｗの両側に位置する底部１００４の側面１０１６とで、ケース１０の長さ方向に延在し幅方向の外側に開放状に形成されている。なお、本実施例では、ガイド溝１０１０は凸片１０１２Ａ、１０１２Ｂ、１０１２Ｃの間の箇所で底面１００８方向に開放されている。
また、図３、図４に示すように、幅方向両側において本体部１００２が底部１００４に臨む面１０１４は長さ方向全体に延在されている。
【００１１】
本実施例では、長さ方向Ｌに間隔をおいた底部１００４の側面１０１６箇所に、該側面１０１６から幅方向Ｗの外方に突出する凸部１０１８が設けられ、凸部１０１８は凸片１０１２よりも小さい突出寸法で形成されている。
また、本実施例では、凸部１０１８は、凸片１０１２Ａ、１０１２Ｂに対応する箇所に設けられ、凸片１０１２Ａ、１０１２Ｂと面１０１４と、側面１０１６とが互いに接続されている。
また、底面１００８の箇所でバッテリー側端子１４が設けられた箇所とは反対側の箇所にガイド溝１０１０を塞ぐストッパ壁１０２０が設けられている。
また、このストッパ壁１０２０は、凸片１０１２Ｃに対応する箇所に設けられ、凸片１０１２Ｃと面１０１４と、側面１０１６とが互いに接続されている。
【００１２】
また、本実施例では、図１に示すように、ケース１０の長さ方向Ｌの両端の端面のうちバッテリー側端子１４が設けられた側の本体部１００２および底部１００４の端面は底面１００８と直交する平坦な端面１０２２として形成されている。そして、この端面１０２２のバッテリー側端子１４から厚さ方向Ｈに離れた箇所に、厚さ方向Ｈの寸法が均一で、かつ、幅方向Ｗに直線状に延在する凸部１０２４が膨出形成されている。凸部１０２４は、バッテリー側端子１４に対応した箇所でバッテリー側端子１４の少なくとも電極が配置されている部分の長さＸ１よりも大きな寸法の長さＸ２で形成されている。
また、図１に示すように、底面１００８には凹部１０２８が形成され、機銘板１０２６がこの凹部１０２８に貼付され、機銘板１０２６の表面と底面１００８は同一面上か、機銘板１０２６の表面が底面１００８よりもケース１０の内側に位置するように構成されている。凹部１０２８の長さ方向Ｌのうちバッテリー側端子１４と反対側に位置する箇所から長さ方向Ｌに沿って底面１００８と同じ面をなす位置決め凸部１０３０が形成され、この凸部１０３０は機銘板１０２６の位置決め溝１０２７に挿入されている。
また、図４（Ａ）、（Ｂ）に示すように、ケース１０の長さ方向Ｌの両端の端面のうちバッテリー側端子１４と反対側に位置する本体部１００２の端面は底面１００８と直交する平坦な端面１０３２として形成され、バッテリー側端子１４と反対側に位置する底部１００４の端面は前記端面１０３２よりもケース１０の内側に変位した箇所で該端面１０３２と平行する平坦な端面１０３４として形成されている。したがって、ケース１０の長さ方向Ｌでバッテリー側端子１４と反対側に位置する端部の本体部１００２と底部１００４の境の部分にはこれら端面１０３２、１０３４により欠部１０３５が形成されている。
また、図１、図５、図６に示すように、バッテリー側端子１４を幅方向Ｗで挟む底部１００４の底面１００８の両側箇所には２つの識別部１０３６が形成されている。これら識別部１０３６は、厚さ方向Ｈおよび長さ方向Ｌに開放された凹部１０３８として形成され、あるいは、厚さ方向Ｈに開放されかつ長さ方向Ｌに閉塞された凹部１０４０として形成される。識別部１０３６は、電子機器側に設けられた識別手段によって識別され、その識別は、凹部１０３８、１０４０の形状や凹部１０３８の長さ方向Ｌの寸法に基づいてなされる。
なお、凹部１０３８を構成する面のうち、ガイド溝１０１０に近接している面部分を傾斜面１０４２とすることで、ガイド溝１０１０と凹部１０３８との間の肉厚寸法を確保し凸片１０１２Ａの機械的強度を確保している。
【００１３】
次に電子機器について説明する。
電子機器は本実施例では撮像装置２００であり、撮像装置２００はケースと、ケースの前部に組み込まれた光学系と、該光学系で捉えた被写体像を撮像する撮像素子と、撮像素子で撮像された画像を表示する液晶表示部と、撮像素子で撮像された画像を記録媒体に記録および／または再生する記録再生部と、前記撮像素子、液晶表示部、記録再生部に電源を供給するバッテリー装置などを含んで構成されている。
前記ケースには、バッテリー装置１００が着脱可能に装着されるバッテリー収容室が設けられ、バッテリー収容室はケースの後面に開口して設けられ、前記開口は不図示の蓋板により閉塞される。
【００１４】
図７、図８は前記ケースのバッテリー収容室２０部分の断面図である。
バッテリー収容室２０は、バッテリー装置１００のケース１０の幅方向Ｗに対応する幅と、ケース１０の厚さに対応する高さと、ケース１０の長さに対応する深さとを有している。
バッテリー収容室２０の深さ方向の奥部には、バッテリー装置１００が前記長さ方向Ｌを前記深さ方向に平行させて挿入された状態でバッテリー側端子１４に接触する収容室側端子（不図示）が設けられている。
また、バッテリー収容室２０には、ガイド溝１０１０に係合し該バッテリー収容室２０内において前記高さ方向におけるケース１０の厚さ方向Ｈの位置を位置決めする突起２００２が設けられている。
【００１５】
本実施例では、バッテリー収容室２０は、前記幅方向の寸法が均一で深さ方向に延在する本体部２２と、本体部２２の幅方向の中央部で高さ方向の一方に設けられ本体部２２の幅よりも小さい寸法の均一幅で前記深さ方向に延在する底部２４とを有している。
バッテリー収容室２０の高さ方向の一方の面は底部２４の面により平坦な底面２００４として形成されている。
前記幅方向の両側で本体部２２と底部２４との境の個所には底面２００４に平行し前記深さ方向に延在する中間載置面２００６が設けられている。
突起２００２は、前記両側の中間載置面２００６が向かい合う箇所からそれぞれ互いに近づく方向に突出されている。すなわち、バッテリー収容室２０の前記幅方向の両端に位置する側面２００１箇所で前記底面２００４寄りの箇所に突起２００２が設けられている。
突起２００２は前記高さ方向における一方の面が底面２００４に平行し、前記高さ方向における他方の面が中間載置面２００６と同一面上に位置している。
バッテリー収容室２０の高さは、図７、図８に示すように、ケース１０の厚さの異なる複数種類のバッテリー装置１００が収容できる寸法で形成されている。
【００１６】
次に本実施例の作用効果について説明する。
バッテリー収容室２００にバッテリー装置１００を収容保持する際には、バッテリー装置１００のバッテリー側端子１４をバッテリー収容室２０の開口に臨ませるとともに、バッテリー装置１０の底面１００８をバッテリー収容室２０の底面２００４に臨ませてバッテリー装置１００をバッテリー収容室２０に挿入する。
この挿入により、バッテリー装置１００のガイド溝１０１０にバッテリー収容室２０の突起２００２が係合され、バッテリー収容室２０内において前記高さ方向におけるバッテリー装置１００のケース１０の厚さ方向Ｈの位置決めがなされる。
本実施例では、ガイド溝１０１０に突起２００２が係合された状態でケース１０の底面１００８はバッテリー収容室２０の底面２００４に載置されており、ケース１０の底面１００８がバッテリー収容室２０の底面２００４に載置されることでバッテリー装置１００のバッテリー収容室２０の底面２００４方向への動きが規制され、ガイド溝１０１０にバッテリー収容室２０の突起２００２が係合することでバッテリー装置１００のバッテリー収容室２０の底面２００４から離れる方向への動きが規制されている。この場合、突起２００２がガイド溝１０１０に係合することで、バッテリー装置１００のバッテリー収容室２０の底面２００４方向への動きおよびバッテリー装置１００のバッテリー収容室２０の底面２００４から離れる方向への動きの双方を規制するようにしてもよい。
また、突起２００２がガイド溝１０１０に係合した状態で凸部１０１８の先端と突起２００４の先端とが接触し前記幅方向Ｗにおけるバッテリー装置１００の動きが規制されている。この場合、凸部１０１８の先端と突起２００４の先端とを接触させずに、バッテリー装置１００のケース１００の側面１００６をバッテリー収容室２０の側面２００１に接触させるなどその他のバッテリー装置１００の箇所とバッテリー収容室２０の箇所を接触させることで前記幅方向Ｗにおけるバッテリー装置１００の動きを規制するようにしてもよい。
そして、バッテリー装置１００をバッテリー収容室２０の奥部まで挿入することで、バッテリー装置１００のバッテリー側端子１４とバッテリー収容室２０の収容室側端子とが接触する。
バッテリー装置１００がバッテリー収容室２０の奥部まで挿入されたならば、不図示の蓋板により前記開口を閉塞し、バッテリー装置１００のバッテリー収容室２０への充填が終了する。
なお、前記長さ方向Ｌにおけるバッテリー装置１００の動きの規制は、例えば、バッテリー収容室２０の奥部の壁面にケース１０の一方の端面１０２２が当接し、蓋板の内面にケース１０の他方の端面１０３２が当接するなど従来公知の規制手段によりなされる。
【００１７】
したがって、本実施例のバッテリー装置１００によれば、バッテリー装置１００の幅方向Ｗの両側のケース１０の箇所には、前記長さ方向Ｌに延在しバッテリー収容室２００に設けられた突起２００２に係合してバッテリー収容室２０内で前記厚さ方向Ｈにおけるケース１０の位置を位置決めするガイド溝１０１０が形成されているので、ケース１０の厚さの異なる複数種類のバッテリー装置１００をバッテリー収容室２０に収容することができる。
また、本実施例の撮像装置２００によれば、バッテリー収容室２０には、バッテリー装置１００のガイド溝１０１０に係合し該バッテリー収容室２０内において前記高さ方向におけるケース１０の厚さ方向Ｈの位置を位置決めする突起２００２が設けられているので、ケース１０の厚さの異なる複数種類のバッテリー装置１００をバッテリー収容室２０に収容することができる。
したがって、例えば、撮像装置２００を長時間動作させるときには電源の容量の大きなバッテリー装置１００、すなわちケース１０の厚さ方向Ｈの寸法の大きなバッテリー装置１００をバッテリー収容室２０に収容保持させることができ、撮像装置２００を短時間動作させるときには電源の容量の小さなバッテリー装置１００、すなわちケース１０の厚さ方向Ｈの寸法の小さなバッテリー装置１００をバッテリー収容室２０に収容保持させることができ、バッテリー装置１００をその使用用途に応じて適宜使い分けることができ、使い勝手を向上させる上で有利となる。
また、本実施例では、ガイド溝１０１０が底面１００８寄りのバッテリー装置１００の箇所に設けられており、突起２００２が底面２００４寄りのバッテリー収容室２０の箇所に設けられているので、バッテリー装置１００の厚さが極めて薄い場合であってもバッテリー収容室２０内において前記高さ方向におけるケース１０の厚さ方向Ｈの位置決めを確実に行なう上で有利となる。
【００１８】
また、本実施例では、ストッパ壁１０２０が設けられているため、バッテリー装置１００の挿入方向を間違えてバッテリー収容室２０に挿入した場合、すなわち、ケース１００のバッテリー側端子部１４と反対側を先頭にしてバッテリー収容室２０に挿入した場合に、該ストッパ壁１０２０が突起２００２に当接するのでユーザーがバッテリー装置１００の向きを誤ったことが瞬時に判断でき、誤挿入を防止する作用を果たしている。
また、本実施例では、凸部１０１８は、凸片１０１２Ａ、１０１２Ｂに対応する箇所に設けられ、凸片１０１２Ａ、１０１２Ｂと面１０１４と、側面１０１６とが互いに接続されていることから、これら２つの凸部１０１８によって凸片１０１２Ａ、１０１２Ｂの機械的強度を向上する上で有利となっている。
また、ストッパ壁１０２０は、凸片１０１２Ｃに対応する箇所に設けられ、凸片１０１２Ｃと面１０１４と、側面１０１６とが互いに接続されていることから、ストッパ壁１０２０によって凸片１０１２Ｃの機械的強度を向上する上で有利となっている。
【００１９】
また、ケース１００の端面１０２２の位置を基準として、前記長さ方向Ｌに沿って設けられている各凸部１０１８の位置（あるいは各凸部１０１８の有無あるいは各凸部１０１８の数）に基づいてバッテリー装置１００が正規なものであるか否かを判別することもできる。
例えば、図９に示すように、ケース１００の端面１０２２を基準とする各凸部１０１８の前記長さ方向Ｌに沿った位置を検知するマイクロスイッチなどからなるセンサ３０２、３０４をバッテリー収容室２０に設ける。そして、各センサ３０２、３０４からの検知信号に基づいて各凸部１０１８の位置が正しい位置にあるか否かを判別する判別回路３０６を設ける。
このような構成によれば、判別回路３０６の判別結果に基づいてバッテリー装置１００が正規品と認識された場合のみバッテリー装置１００からの電源供給を許可し、そうでなければバッテリー装置１００からの電源供給を禁止することができ、正規品でないバッテリー装置１００の使用を未然に防止することが可能となる。
また、前述したバッテリー装置１００の識別データを、前記長さ方向Ｌに沿って設けられている各凸部１０１８の位置、あるいは、各凸部１０１８の有無、あるいは、各凸部１０１８の数によって示すことも可能である。
例えば、図９に示した構成によれば、２つのセンサ３０２，３０４のオン、オフの組み合わせによって４種類の識別データを表すことができる。したがって、バッテリー装置１００のケース１０の幅方向の両側に設けられた合計４つの凸部１０１８の位置を検知できるように４つのセンサを設ければ、８通りの識別情報を得ることができることは無論である。
また、センサとして端面１０２２を基準とする各凸部１０１８の前記長さ方向の位置を測定できるものを用いれば、センサによって検知できる識別データの種類をさらに増やすことができることは無論である。
また、バッテリー装置１００が装着される電子機器がバッテリー装置１００に対して充電を行なう充電器であった場合には、該充電器に上述したセンサ３０２、３０４と同様なセンサを１つあるいは複数設け、該センサによりバッテリー装置１００の装着の有無を検知し、該検知動作に応じてバッテリー装置１００に対する充電動作を開始するようにしてもよい。この場合、前記センサが凸部１０１８に対応する箇所に設けられているため、すなわち前記センサがバッテリー装置１００の挿入方向に対して直交する方向に向けて設けられているため、前記センサがバッテリー収容室２０の奥部でバッテリー装置１００の挿入方向に臨ませて設けられている場合に比較して、バッテリー収容室２０の開口から挿入された棒状の異物などによって前記センサが誤動作されにくいという利点がある。
また、前記センサによって凸部１０１８の位置を判別することでバッテリー装置１００の特性（適切な充電電流の値、あるいは、急速充電が可能か否かなど）を充電器側で判断させることも可能である。
また、バッテリー収容室２０に各凸部１０１８の一部または全てと係脱するロック機構を設ければ、前記ロック機構が凸部１０１８の一部または全てと係合することにより、バッテリー装置１００のバッテリー収容室２０からの脱落を確実に防止する上で有利となる。
また、図１に示すように、機銘板１０２６の表面と底面１００８は同一面上か、機銘板１０２６の表面が底面１００８よりもケース１０の内側に位置するように構成されるとともに、底面１００８と同じ面をなす位置決め凸部１０３０が機銘板１０２６の位置決め溝１０２７に挿入されているので、バッテリー装置１００をバッテリー収容室２０に対して出し入れすることで、バッテリー装置１００の底面１００８とバッテリー収容室２０の底面２００４とが摩擦しても、機銘板１０２６の表面が損傷や汚損を受けにくく機銘板１０２６の表記を保護する上で有利である。
【００２０】
また、上述したバッテリー装置１００は、上述した実施例のようにバッテリー収容室２０に収容される、いわゆる内蔵型として用いられる他、次に説明するように撮像装置２００の外面に装着する、いわゆる外付型としても用いることができる。
以下、バッテリー装置１００を外付型として使用する場合について説明する。
図１０はバッテリー装置１００が外付けされる撮像装置２００の斜視図、図１１は撮像装置２００のバッテリー装着部の拡大図、図１２はバッテリー装置１００が取着された状態を示す撮像装置２００の斜視図、図１３はバッテリー装置１００とバッテリー装着部との取付け説明図、図１４はロック機構の説明図、図１５はバッテリー装置１００とバッテリー装着部の取付状態を示す説明図である。
【００２１】
図１０に示すように、撮像装置２００はケース２４と、ケース２４の前部に組み込まれた光学系２６と、該光学系２６で捉えた被写体像を撮像する不図示の撮像素子と、撮像素子で撮像された画像を表示する液晶表示部２８と、撮像素子で撮像された画像を記録媒体に記録および／または再生する不図示の記録再生部と、前記撮像素子、液晶表示部２８、記録再生部に電源を供給するバッテリー装置１００などを含んで構成されている。
ケース２４の後部には、バッテリー装置１００が着脱可能に装着されるバッテリー装着部３０が設けられている。
バッテリー装着部３０は、図１１に示すように、バッテリー装置１００が収容される凹部３００２と、凹部３００２に設けられた複数の係合凸片３００４（３００４Ａ、３００４Ｂ、３００４Ｃ）と、凹部３００２に設けられた装置側端子３２と、装置側端子３２と反対側の凹部３００２箇所に設けられた係合凸部３４とを有している。
凹部３００２は、装着面３００６と、この装着面３００６の周囲から起立する側面３００８とを備えている。
前記装着面３００６は、バッテリー装置１００の底面１００８の幅に対応した幅と、底面１００８の長さよりも大きな寸法の長さで形成されている。
図１１、図１３に示すように、装着面３００６の幅方向の両側で長さ方向に間隔をおいた箇所に、前記ガイド溝１０１０に係合可能な係合凸片３００４（３００４Ａ、３００４Ｂ、３００４Ｃ）が設けられている。
係合凸部３４は、装着面３００６から出没可能に設けられ、常時突出する方向に付勢され、バッテリー装置１００の欠部１０３５に係合可能に形成されている。
【００２２】
バッテリー装置１００のバッテリー装着部３０への取付は次のように行なわれる。
バッテリー装置１００のバッテリー側端子１４をバッテリー装着部３０の装置側端子３２に臨ませるとともに、バッテリー装置１０の底面１００８をバッテリー装着部３０の装着面３００６に臨ませ、バッテリー装置１００の各凸片１０１２（１０１２Ａ、１０１２Ｂ、１０１２Ｃ）が、係合凸片３００４（３００４Ａ、３００４Ｂ、３００４Ｃ）に対して前記長さ方向Ｌに沿ってそれぞれ離間した位置とする。
この状態で、バッテリー装置１０の底面１００８をバッテリー装着部３０の装着面３００６に当て付け、バッテリー装置１００をバッテリー側端子１４が装置側端子３２に近接させる方向にスライドさせる。
これにより、バッテリー装置１００の各凸片１０１２（１０１２Ａ、１０１２Ｂ、１０１２Ｃ）が、係合凸片３００４（３００４Ａ、３００４Ｂ、３００４Ｃ）と装着面３００６の間に挿入され、バッテリー装着部３０上において前記高さ方向におけるバッテリー装置１００の厚さ方向Ｈの位置決めがなされ、バッテリー装置１００のバッテリー側端子１４とバッテリー装着部３０の装置側端子３２とが接触する。
この場合、本実施例では、各凸片１０１２（１０１２Ａ、１０１２Ｂ、１０１２Ｃ）が、各係合凸片３００４（３００４Ａ、３００４Ｂ、３００４Ｃ）に係合した状態でケース１０の底面１００８とバッテリー装着部３０の装着面３００６とは当て付けられている。
バッテリー装置１００の長さ方向Ｌの２つの端面のうちバッテリー側端子１４側の端面１０２２がバッテリー装着部３０の側面３００８に当接されたならば、係合凸部３４がバッテリー装置１００の欠部１０３５に係合することでバッテリー装置１００をバッテリー装着部３０に装着された状態がロックされ、バッテリー装置１００のバッテリー装着部３０への取付が終了する。
【００２３】
このようにバッテリー装置１００がバッテリー装着部３０に装着される場合には、図１４に示すように、バッテリー装置１００のバッテリー側端子１４側の端面１０２２と、該端面１０２２に対向する撮像装置２００のケース２４箇所（凹部３００６の側面３００８）との間に隙間が形成されることがある。
この場合、凹部３００６の側面３００８に凹溝３０１０を形成しておき、この凹溝にバッテリー装置１００の凸部１０２４を挿入することで前記隙間を凸部１０２４により遮断できる。このため、前記隙間部分から例えば導電性を有する異物などが侵入してバッテリー側端子１４と装置側端子３２との接続部分に接触することを確実に防止する上で有利となる。
また、ストッパ壁１０２０は、バッテリー装置１００のバッテリー装着部への装着の際、バッテリー装置１００の長さ方向の向きが正規の向きでない場合に、バッテリー装着部３０の係合凸片３００４Ａに当たりバッテリー装置１００の誤った向きでの装着を阻止する機能を果たしている。
【００２４】
また、図１５に示すように、バッテリー装着部３０に装着された状態のバッテリー装置１００の欠部１０３５に対して接離する方向にスライドし、該欠部１０３５に接近する方向にばねなどの付勢部材により常時付勢されたロック爪２００８をケース２４に設け、該ロック爪２００８が欠部１０３５に係合することでバッテリー装置１００のバッテリー装着部３０からの脱落を防止し、バッテリー装置１００の欠部１０３５とロック爪２００８の係合を解除することで、バッテリー装置１００のバッテリー装着部３０からの取り外しが可能となるように構成することもできる。
この場合、バッテリー装置１００はその欠部１０３５が端面１０３２よりもバッテリー装置１００の内側に変位しているため、ロック爪２００８は、ケース２４の外面よりもケース２４の内側に変位した箇所に設けることができ、撮像装置２００のケース２４の外面から外方に突出させることなくロック爪２００８を構成することができる。したがって、撮像装置２００の小型化を図るとともに、デザイン性を向上させる上で有利となる。
また、この場合、ロック爪２００８の欠部１０３５に係合する箇所が常時バッテリー装置１００の底面１００８に接近する方向に付勢されることになるため、バッテリー装置１００をバッテリー装着部３０に装着する際、あるいは、バッテリー装置１００をバッテリー装着部３０から取り外す際、バッテリー装置１００の底面１００８を装着面３００６に沿ってスライドさせると、前記付勢によって底面１００８向きに突出するロック爪２００８の先端が底面１００８に貼着された機銘板１０２６などのラベル表面に当接し、摩擦により機銘板１０２６などの表面の印刷部分が擦れて消えてしまうおそれがある。
この場合、ロック爪２００８を、その先端が位置決め凸部１０３０に当接するように配設すれば、ロック爪２００８の先端が位置決め凸部１０３０の部分に当接し機銘板１０２６の表面には当接しないので、機銘板１０２６の表面が損傷や汚損を受けにくく機銘板１０２６の表面の印刷部分を保護する上で有利である。この場合、位置決め凸部１０３０は機銘板１０２６の表面と同一面上か、機銘板１０２６の表面よりもケース１０の外側に位置するように設けられていればよい。
【００２５】
また、本実施例によるバッテリー装置１００は次のように構成されているということもできる。
すなわち、バッテリー装置１００はケース１０を有している。ケース１０は、その長さ方向Ｌの両端に位置する２つの端面１０２２，１０３２と、これら２つの端面１０２２，１０３２を接続する側面１００６とを有し、２つの端面１０２２，１０３２のうちの一方の端面１０２２と該端面１０２２に接続された側面１００６との少なくとも一方に臨むようにバッテリー側端子１４が設けられている。側面１００６には、前記長さ方向Ｌに延在する誤挿入防止用溝（ガイド溝１０１０）が形成され、前記長さ方向Ｌのうちバッテリー側端子１４側を前方、その反対方向を後方とした場合、前記誤挿入防止用溝はその長さ方向Ｌの両端のうちバッテリー側端子１４寄りの箇所（前端箇所）が開放され、その反対側の箇所（後端箇所）が閉塞されている。そして、前記誤挿入防止用溝にはケース１０の外方に膨出する１つの凸部１０１８が形成されているか、あるいは、２つ以上の凸部１０１８が前記長さ方向Ｌに間隔をおいて形成されている。
このような構成によれば、図９において説明したように、凸部１０１８の長さ方向Ｌの位置、あるいは、凸部１０１８の有無、あるいは、凸部１０１８の数などによってバッテリー装置１００の識別データを示すことができる。この場合、凸部１０１８はケース１０の外方に膨出しているため、ケース１０内部のスペースを占有することが無く、ケース１０の内部に部品収容用のスペースを確保する上で、あるいは、ケース１０の小型化を図る上で有利となり、バッテリー装置１００の設計の自由度を向上させる上でも有利となる。
また、本実施例のバッテリー装置１００は、ケース１０を幅方向Ｗで挟み互いに対向する２つの側面１００６箇所のそれぞれに前記誤挿入防止用溝を設けている。この場合、２つの誤挿入防止用溝を各溝に対応する突起に係合させることで前記厚さ方向Ｈにおける前記ケースの位置を位置決めでき、前記誤挿入防止用溝を位置決め用の溝として機能させることができる。
このような構成によれば、図７、図８に示すように、バッテリー収容室２０に前記各突起２００２を設け、これら各突起２００２に前記２つの誤挿入防止用溝を係合させることで前記厚さ方向Ｈの寸法が異なるバッテリー装置を前記バッテリー収容室２０内で位置決めすることができる。
また、本実施例のバッテリー装置１００は、複数の凸片１０１２（１０１２Ａ，１０１２Ｂ、１０１２Ｃ）と、これら複数の凸片１０１２（１０１２Ａ，１０１２Ｂ、１０１２Ｃ）のそれぞれに臨む側面１０１６箇所と、これら複数の凸片１０１２（１０１２Ａ，１０１２Ｂ、１０１２Ｃ）のそれぞれに臨む面１０１４の箇所とによって複数の凹部が形成されており、これら複数の凹部により前記誤挿入防止用溝を構成することができる。
また、本実施例のバッテリー装置１００は、複数の凸片１０１２（１０１２Ａ，１０１２Ｂ、１０１２Ｃ）のそれぞれに接続して凸部１０１８が設けられており、各凸部１０１８が複数の凸片１０１２（１０１２Ａ，１０１２Ｂ、１０１２Ｃ）のそれぞれに接続されている箇所は、前記長さ方向Ｌのうち、バッテリー装置１００をバッテリー装着部３０に装着する際にバッテリー装置１００を動かす（スライドさせる）方向寄りの箇所（バッテリー側端子寄りの箇所）である。
このような構成によれば、これら各凸片１０１２（１０１２Ａ，１０１２Ｂ、１０１２Ｃ）と、複数の係合凸片３００４（３００４Ａ、３００４Ｂ、３００４Ｃ）とを係脱する際に、凸片１０１２Ａと係合凸片３００４Ａとの間、凸片１０１２Ｂと係合凸片３００４Ｂの間、凸片１０１２Ｃと係合凸片３００４Ｃとの間に、前記長さ方向Ｌにおける間隔がそれぞれ確保されることになる。このため、複数の凸片１０１２（１０１２Ａ，１０１２Ｂ、１０１２Ｃ）と、複数の係合凸片３００４（３００４Ａ、３００４Ｂ、３００４Ｃ）とが互いに係脱する際、各係合凸片３００４と各凸部１０１８との干渉が生じにくく、バッテリー装置１００の装着、取り外しを円滑に行う上で有利となる。
【００２６】
なお、本実施例においては、電子機器として撮像装置を例示したが、本発明はバッテリー装置を充電する充電器、およびバッテリー装置を用いて動作する種々の電子機器に無論適用可能である。
【図面の簡単な説明】
【００２７】
【図１】実施例１のバッテリー装置を下方から見た斜視図である。
【図２】実施例１のバッテリー装置の構成を示す分解斜視図である。
【図３】バッテリー装置１００の説明図である。
【図４】バッテリー装置１００の説明図である。
【図５】図３の要部拡大図である。
【図６】識別部１０３６近傍の拡大斜視図である。
【図７】ケースのバッテリー収容室２０部分の断面図である。
【図８】ケースのバッテリー収容室２０部分の断面図である。
【図９】凸部１０１８の判別回路を示すブロック図である。
【図１０】バッテリー装置１００が外付けされる撮像装置２００の斜視図である。
【図１１】撮像装置２００のバッテリー装着部の拡大図である。
【図１２】バッテリー装置１００が取着された状態を示す撮像装置２００の斜視図である。
【図１３】ロック機構の説明図である。
【図１４】バッテリー装置１００とバッテリー装着部との取付け説明図である。
【図１５】バッテリー装置１００とバッテリー装着部の取付状態を示す説明図である。
【符号の説明】
【００２８】
１００……バッテリー装置、１０……ケース、１２……充電池部、１４……バッテリー側端子、１０１０……ガイド溝、２００……撮像装置、２０……バッテリー収容室、２００４……突起。